(57)【特許請求の範囲】
【請求項１】
建築物の壁基材に取り付けられ最下段の外壁板を支持するスタータ金具であって、
互いに離間して直線状に並べて配置された平板状の複数の固定板と、
各固定板の下部から延出された複数の下フランジと、
各固定板の間に設けられて隣り合う前記固定板を互いに連結する連結部と
を備え、
前記複数の固定板が前記壁基材にそれぞれ固定されるとともに、前記複数の下フランジが前記最下段の外壁板を支持するように構成されており、
各連結部の上端及び下端は開放端とされており、前記壁基材の曲面に沿って各連結部が湾曲される
ことを特徴とするスタータ金具。
【請求項２】
前記連結部には、前記連結部の湾曲を案内する複数の貫通孔又は複数の薄肉部が設けられている
ことを特徴とする請求項１記載のスタータ金具。
【請求項３】
前記連結部は、平板状である
ことを特徴とする請求項１又は請求項２に記載のスタータ金具。
【請求項４】
前記連結部には、複数の予備屈曲部が設けられている
ことを特徴とする請求項１記載のスタータ金具。
【請求項５】
前記連結部の上縁及び下縁は、前記連結部を正面から見た時に直線状に延在されている
ことを特徴とする請求項１から請求項４までのいずれか１項に記載のスタータ金具。
【請求項６】
前記連結部は前記複数の固定板と連続する板材からなる
ことを特徴とする請求項１から請求項５までのいずれか１項に記載のスタータ金具。
【請求項７】
請求項１から請求項６までのいずれか１項に記載のスタータ金具を用いた建築物の建築方法であって、
前記壁基材の曲面に沿って各連結部を湾曲させながら、各固定板を前記壁基材に固定する工程
を含むことを特徴とする建築物の建築方法。
【発明の詳細な説明】
【技術分野】
【０００１】
本発明は、最下段の外壁板を支持するスタータ金具及びそれを用いた建築物の建築方法に関する。
【背景技術】
【０００２】
従来用いられていたこの種のスタータ金具としては、例えば下記の特許文献１等に示されている構成を挙げることができる。図５は従来のスタータ金具を示す斜視図である。図において、従来のスタータ金具５は、直線状に延在された長手状部材であり、平板状の固定板５０と、固定板５０の下部から延出された下フランジ５１と、固定板５０の上部から延出された上フランジ５２とが設けられている。下フランジ５１及び上フランジ５２は、スタータ金具５の左右方向５ａの全体にわたって設けられている。固定板５０は、例えば胴縁等の建築物の壁基材１００に固定される。下フランジ５１は、壁基材１００に取り付けられる最下段の外壁板（図示せず）を支持し、上フランジ５２は壁基材１００と外壁板との間に空隙を確保する。
【先行技術文献】
【特許文献】
【０００３】
【特許文献１】登録実用新案第３１６６７７０号公報
【発明の概要】
【発明が解決しようとする課題】
【０００４】
従来のスタータ金具５は、下フランジ５１及び上フランジ５２が左右方向５ａの全体にわたって設けられているので、スタータ金具５を容易に湾曲させることができず、平面状の壁基材にしかスタータ金具５を取り付けることができない。
【０００５】
本発明は、上記のような課題を解決するためになされたものであり、その目的は、曲面状の壁基材に容易に取り付けることができるスタータ金具及びそれを用いた建築物の建築方法を提供することである。
【課題を解決するための手段】
【０００６】
本発明に係るスタータ金具は、建築物の壁基材に取り付けられ最下段の外壁板を支持するスタータ金具であって、互いに離間して直線状に並べて配置された平板状の複数の固定板と、各固定板の下部から延出された複数の下フランジと、各固定板の間に設けられて隣り合う固定板を互いに連結する連結部とを備え、複数の固定板が壁基材にそれぞれ固定されるとともに、複数の下フランジが最下段の外壁板を支持するように構成されており、各連結部の上端及び下端は開放端とされており、壁基材の曲面に沿って各連結部が湾曲される。
【０００７】
また、本発明に係るスタータ金具を用いた建築物の建築方法は、上記のスタータ金具を用いた建築物の建築方法であって、壁基材の曲面に沿って各連結部を湾曲させながら、各固定板を前記壁基材に固定する工程を含む。
【発明の効果】
【０００８】
本発明のスタータ金具及びそれを用いた建築物の建築方法によれば、連結部の上端及び下端は開放端とされており、壁基材の曲面に沿って各連結部が湾曲されるので、曲面状の壁基材に容易に取り付けることができる。
【図面の簡単な説明】
【０００９】
【図１】本発明の実施の形態によるスタータ金具を示す斜視図である。
【図２】図１の連結部の第１変形例を示す斜視図である。
【図３】図１の連結部の第２変形例を示す斜視図である。
【図４】図１の連結部の第３変形例を示す斜視図である。
【図５】従来のスタータ金具を示す斜視図である。
【発明を実施するための形態】
【００１０】
以下、本発明を実施するための形態について、図面を参照して説明する。
図１は、本発明の実施の形態１によるスタータ金具１を示す斜視図である。図において、スタータ金具１には、複数の固定板１０、複数の下フランジ１１、複数の上フランジ１２及び複数の連結部１３が設けられている。
【００１１】
各固定板１０は、互いに離間して直線状に並べて配置された平板状の板部材である。各下フランジ１１は各固定板１０の下部からそれぞれ延出され、各上フランジ１２は各固定板１０の上部からそれぞれ延出されている。下フランジ１１及び上フランジ１２が延出されている側を固定板１０の表面と呼び、その逆側を固定板１０の裏面と呼ぶ。スタータ金具１は、各固定板１０の裏面が壁基材に接するように配置される。各固定板１０は、図示しない建築物の壁基材にビス等により固定される。壁基材とは、例えば胴縁等である。
【００１２】
各下フランジ１１には、各固定板１０の表面に対して略垂直な方向に延在された平板状の下フランジ本体１１ａと、下フランジ本体１１ａの先端から上方に向けて突出された上向リップ１１ｂとが設けられている。各下フランジ１１は、壁基材に最下段の外壁板（図示せず）を支持する。上向リップ１１ｂは、外壁板の下部に設けられた溝に係合される。
【００１３】
各上フランジ１２には、各固定板１０の表面に対して略垂直な方向に延在された平板状の上フランジ本体１２ａと、上フランジ本体１２ａの先端から下方に向けて突出された下向リップ１２ｂとが設けられている。上フランジ１２は、下フランジ１１に支持された外壁板と壁基材との間に隙間を確保する。
【００１４】
下フランジ本体１１ａ及び上フランジ本体１２ａには、複数の楕円状開口１１ｃ，１２ｃが設けられている。楕円状開口１１ｃ，１２ｃは、外壁板が取り付けられた後に通風孔又は排水口として機能する。
【００１５】
各連結部１３は、各固定板１０の間に設けられて隣り合う固定板１０を互いに連結する平板状の板部である。各連結部１３の上端１３ａ及び下端１３ｂは、開放端とされている。すなわち、下フランジ１１及び上フランジ１２は、各連結部１３の位置に設けられていない。換言すると、各下フランジ１１の間及び各上フランジ１２の間には、各連結部１３に対応するスリット１４が形成されている。このため、各連結部１３は、下フランジ１１及び上フランジ１２による抵抗を受けることなく独立して湾曲可能とされている。これにより、スタータ金具１が取り付けられる壁基材の外面が曲面であっても、その曲面に沿って各連結部１３が湾曲可能とされている。なお、スタータ金具１の左右方向１ａに沿う固定板１０、下フランジ１１及び上フランジ１２の長さと連結部１３の長さとの比率は、適宜変更可能であるが、図１では２：１とされている。
【００１６】
次に、図２は図１の連結部１３の第１変形例を示す斜視図であり、図３は図１の連結部１３の第２変形例を示す斜視図であり、図４は図１の連結部１３の第３変形例を示す斜視図である。図１では、連結部１３が単純な平板により構成されているように示しているが、図２〜図４に示すように連結部１３の湾曲を案内する複数の貫通孔１３０、複数の薄肉部１３１又は複数の予備屈曲部１３２が連結部１３に設けられてもよい。これら複数の貫通孔１３０、複数の薄肉部１３１又は複数の予備屈曲部１３２が連結部１３に設けられていることで、より柔軟に連結部１３を湾曲させることができる。
【００１７】
次に、図１〜図４のスタータ金具１を用いた建築物の建築方法を説明する。まず、建築物の壁基材の曲面に沿って各連結部１３を湾曲させながら、各固定板１０を壁基材に固定する。その次に、スタータ金具１の各下フランジ１１に最下段の外壁板を支持させるとともに、最下段の外壁板の上に外壁板を順次積み重ねて建築物の外壁を構成する。
【００１８】
このようなスタータ金具１及びそれを用いた建築物の建築方法では、連結部１３の上端１３ａ及び下端１３ｂは開放端とされており、壁基材の曲面に沿って各連結部１３が湾曲可能とされているので、曲面状の壁基材に容易に取り付けることができる。また、様々な曲面の壁基材に対応でき、部品コストを低減できる。また、建築現場にて壁基材の曲面にスタータ金具１を容易に合わせることができ、施工精度を向上させることができる。
【００１９】
なお、実施の形態では、上フランジ１２に下向リップ１２ｂが設けられるように説明したが、下向リップ１２ｂは省略してもよい。また、上フランジに上向リップが設けられてもよい。
【００２０】
また、実施の形態では、下フランジ本体及び上フランジ本体が平板状であると説明したが、これら下フランジ本体及び上フランジ本体の形状は任意である。
【００２１】
さらに、実施の形態では上フランジが設けられるように説明したが、上フランジは省略されてもよい。
【符号の説明】
【００２２】
１  スタータ金具
１０  固定板
１１  下フランジ
１２  上フランジ
１３  連結部
１３０  貫通孔
１３１  薄肉部
１３２  予備屈曲
【図１】
0006465715.tif 000002
【図２】
0006465715.tif 000003
【図３】
0006465715.tif 000004
【図４】
0006465715.tif 000005
【図５】
0006465715.tif 000006